(57)【要約】【課題】印刷時の両面印刷／片面印刷の設定やファイル出力時のファイルの分離（分割）／結合の設定などの出力設定を、出力対象データの出力時の結果に近いタッチ操作により実行することが可能なデータ処理装置を提供する。【解決手段】データ処理装置１は、表示部１１と、表示部１１に出力対象データのプレビュー画像を表示させる表示制御部１０ａを含む制御部１０と、プレビュー画像に係る出力対象データに対する出力設定を行うユーザ操作を、表示部１１上で受け付けるタッチセンサ１２と、その出力設定に基づき上記出力対象データを出力する出力部と、を備える。制御部１０は、表示制御部１０ａがプレビュー画像としてページ単位のオブジェクトを順に並べて表示させた状態で、タッチセンサ１２がオブジェクトに対する所定のピンチ操作を受け付けた場合に、操作対象となったオブジェクトに係るページ設定を行う。【選択図】図１
2014148140.tif 000002
【特許請求の範囲】
【請求項１】
表示部と、該表示部に出力対象データのプレビュー画像を表示させる表示制御部と、前記プレビュー画像に係る出力対象データに対する出力設定を行うユーザ操作を、前記表示部上で受け付けるタッチセンサと、該出力設定に基づき前記出力対象データを出力する出力部と、を備えたデータ処理装置であって、
前記表示制御部が前記プレビュー画像としてページ単位のオブジェクトを順に並べて表示させた状態で、前記タッチセンサが前記オブジェクトに対する所定のピンチ操作を受け付けた場合に、操作対象となったオブジェクトに係るページ設定を行う制御部を備えたことを特徴とするデータ処理装置。
【請求項２】
前記制御部は、前記所定のピンチ操作として、前記タッチセンサが前記オブジェクトの１つに対してピンチアウトする操作を受け付けた場合、前記オブジェクトに係るページを分離する設定を行うことを特徴とする請求項１に記載のデータ処理装置。
【請求項３】
前記制御部は、前記所定のピンチ操作として、前記タッチセンサが、１つのファイルとして記憶する設定がなされている前記オブジェクトのうち隣接する２つのオブジェクトを選択してピンチアウトする操作を受け付けた場合、該２つのオブジェクトに係るページの境界で前記１つのファイルを分割して２つのファイルにする設定に変更することを特徴とする請求項２に記載のデータ処理装置。
【請求項４】
前記制御部は、前記所定のピンチ操作として、前記タッチセンサが前記オブジェクトのうち隣り合う２つのオブジェクトに対してピンチインする操作を受け付けた場合、該２つのオブジェクトに係るページを結合する設定を行うことを特徴とする請求項１に記載のデータ処理装置。
【請求項５】
前記制御部は、前記所定のピンチ操作として、前記タッチセンサが、前記オブジェクトのうち別々のファイルとして記憶する設定がなされている隣接する２つのオブジェクトを選択してピンチインする操作を受け付けた場合、前記２つのファイルを該２つのオブジェクトに係るページの境界で結合した１つのファイルにする設定に変更することを特徴とする請求項４に記載のデータ処理装置。
【発明の詳細な説明】
【技術分野】
【０００１】
本発明は、データ処理装置に関し、より詳細には、出力対象データについての出力設定を行い、その出力設定に従って出力対象データの出力を行うデータ処理装置に関する。
【背景技術】
【０００２】
従来から、原稿読み取りなどで得た画像データのプレビュー画像を表示する表示部を備えると共に、ユーザ操作を受け付けることが可能なタッチパネル等のタッチセンサを備える画像形成装置等のデータ処理装置が流通している。
【０００３】
このような画像形成装置について、特許文献１には、表示部に表示された２ページの原稿のプレビュー画像を水平方向に繋ぐようにタッチパネル上をタッチするとその２ページを見開きページとして印刷し、表示部に表示された２ページの原稿のプレビュー画像の間を垂直方向に分離するようにタッチパネル上をタッチするとその２ページを一枚の用紙の表裏に配置して印刷する技術が開示されている。
【先行技術文献】
【特許文献】
【０００４】
【特許文献１】特開２００６−２４７８７３号公報
【発明の概要】
【発明が解決しようとする課題】
【０００５】
しかしながら、特許文献１に記載の技術は、タッチ操作がその操作に対応した印刷設定と直感的に結び付くようなものではなく、装置の使用に慣れていないユーザにとって、そのユーザが望むような設定にならないため、誤操作になってしまう可能性が高い。
【０００６】
より具体的には、この技術では、表示された２ページの原稿のプレビュー画像を水平方向に繋ぐようなタッチ操作を行うことでその２ページを見開きとしているが、このようなタッチ操作は、タッチされたページを水平方向に移動させる操作であるとユーザが勘違いしてしまう。また、この技術では、表示された２ページの原稿間を垂直方向に分離するようなタッチ操作を行うことでその２ページを裏表に配置するようにしているが、このようなタッチ操作は、タッチされたページ間を垂直方向に分割する操作であるとユーザが勘違いしてしまう。
【０００７】
一方で、ユーザがプレビュー画像を見ながら、印刷時に両面印刷と片面印刷との間で設定を変更したいことや、ファイル出力時にファイルの分割や結合を行いたいこともある。
【０００８】
本発明は、上述のような実状に鑑みてなされたものであり、その目的は、印刷時の両面印刷／片面印刷の設定やファイル出力時のファイルの分離（分割）／結合の設定などの出力設定を、出力対象データの出力時の結果に近いタッチ操作により実行することが可能なデータ処理装置を提供することにある。
【課題を解決するための手段】
【０００９】
上記の課題を解決するために、本発明の第１の技術手段は、表示部と、該表示部に出力対象データのプレビュー画像を表示させる表示制御部と、前記プレビュー画像に係る出力対象データに対する出力設定を行うユーザ操作を、前記表示部上で受け付けるタッチセンサと、該出力設定に基づき前記出力対象データを出力する出力部と、を備えたデータ処理装置であって、前記表示制御部が前記プレビュー画像としてページ単位のオブジェクトを順に並べて表示させた状態で、前記タッチセンサが前記オブジェクトに対する所定のピンチ操作を受け付けた場合に、操作対象となったオブジェクトに係るページ設定を行う制御部を備えたことを特徴としたものである。
【００１０】
本発明の第２の技術手段は、第１の技術手段において、前記制御部は、前記所定のピンチ操作として、前記タッチセンサが前記オブジェクトの１つに対してピンチアウトする操作を受け付けた場合、前記オブジェクトに係るページを分離する設定を行うことを特徴としたものである。
【００１１】
本発明の第３の技術手段は、第２の技術手段において、前記制御部は、前記所定のピンチ操作として、前記タッチセンサが、１つのファイルとして記憶する設定がなされている前記オブジェクトのうち隣接する２つのオブジェクトを選択してピンチアウトする操作を受け付けた場合、該２つのオブジェクトに係るページの境界で前記１つのファイルを分割して２つのファイルにする設定に変更することを特徴としたものである。
【００１２】
本発明の第４の技術手段は、第１の技術手段において、前記制御部は、前記所定のピンチ操作として、前記タッチセンサが前記オブジェクトのうち隣り合う２つのオブジェクトに対してピンチインする操作を受け付けた場合、該２つのオブジェクトに係るページを結合する設定を行うことを特徴としたものである。
【００１３】
本発明の第５の技術手段は、第４の技術手段において、前記制御部は、前記所定のピンチ操作として、前記タッチセンサが、前記オブジェクトのうち別々のファイルとして記憶する設定がなされている隣接する２つのオブジェクトを選択してピンチインする操作を受け付けた場合、前記２つのファイルを該２つのオブジェクトに係るページの境界で結合した１つのファイルにする設定に変更することを特徴としたものである。
【発明の効果】
【００１４】
本発明に係るデータ処理装置によれば、印刷時の両面印刷／片面印刷の設定やファイル出力時のファイルの分離（分割）／結合の設定などの出力設定を、出力対象データの出力時の結果に近いタッチ操作により実行することが可能になる。
【図面の簡単な説明】
【００１５】
【図１】本発明に係るデータ処理装置の一構成例を示すブロック図である。
【図２】図１のデータ処理装置における画像処理の一例を説明するためのフロー図である。
【図３】図２に続くフロー図である。
【図４Ａ】図１のデータ処理装置における画像処理例を説明するための表示部でのプレビュー画像の例を示す図である。
【図４Ｂ】図４Ａのプレビュー画像に対するピンチアウト操作の例を説明するための図である。
【図４Ｃ】図４Ｂのピンチアウト操作により表示部で表示されるプレビュー画像の例を示す図である。
【図４Ｄ】図４Ｃのプレビュー画像に対するピンチイン操作の例を説明するための図である。
【図５Ａ】図１のデータ処理装置における画像処理例を説明するための表示部でのプレビュー画像の他の例を示す図である。
【図５Ｂ】図５Ａのプレビュー画像に対するピンチアウト操作の例を説明するための図である。
【図５Ｃ】図５Ｂのピンチアウト操作により表示部で表示されるプレビュー画像の例を示す図である。
【図５Ｄ】図５Ｃのプレビュー画像に対するピンチイン操作の例を説明するための図である。
【発明を実施するための形態】
【００１６】
図１は、本発明に係るデータ処理装置の一構成例を示すブロック図である。
本発明に係るデータ処理装置１は、データ処理装置１の全体を制御する制御部１０を備えている。制御部１０は、データ処理装置１の全体を制御するために、ＣＰＵ（Central Processing Unit）又はＭＰＵ（Micro Processing Unit）、作業領域としてのＲＡＭ（Random Access Memory）、及び制御プログラム（本発明に係る後述するような処理を行うプログラムを含む）や各種設定内容を記憶した記憶装置などの制御デバイスで構成される。この記憶装置としては、フラッシュＲＯＭ（Read Only Memory）、ＥＥＰＲＯＭ（Electrically Erasable and Programmable  ＲＯＭ）等が挙げられる。無論、制御部１０の一部又は全部を専用のハードウェアで構成することもできる。
【００１７】
データ処理装置１は、さらに表示部１１、タッチセンサ１２、及び出力部を備えると共に、制御部１０には表示部１１での表示内容を制御する表示制御部１０ａを備える。表示制御部１０ａは、表示部１１に原稿読取部１３で読み取った出力対象データのプレビュー画像を表示させる制御も行う。
【００１８】
このプレビュー画像は、実際にはユーザインターフェース画像（ＵＩ画像）に組み込んで表示される。表示部１１は、画像を表示する例えば液晶ディスプレイ、有機ＥＬ（electroluminescence）ディスプレイなどの表示パネルで構成される。この表示部１１は、プレビュー画像として多くのページを同時に見易く表示させるために、横方向に長く作られていることが好ましい。
【００１９】
タッチセンサ１２は、表示部１１に表示させたプレビュー画像を含むＵＩ画像に対するユーザ操作を表示部１１上で受け付ける。タッチセンサ１２で受け付けたユーザ操作は、制御部１０に伝えられ、制御部１０においてそのユーザ操作の内容が解釈される。
【００２０】
そして、このユーザ操作にはピンチ操作（ピンチイン操作又はピンチアウト操作）が含まれるものとする。そのため、タッチセンサ１２は、指等による複数点を同時に検出できる構成（多点入力対応）となっている。タッチセンサ１２としては、例えば、投影型静電容量方式、（アナログ）抵抗膜方式、光センサ内蔵ＬＣＤ（Liquid Crystal Display）方式、赤外線方式など、様々な方式のタッチセンサが採用できる。
【００２１】
その他、データ処理装置１には、例えば数字キー、スタートキー（実行キー）、キャンセルキーなどでなるハードウェアキー群を備え、各種ユーザ操作を受け付けるように構成することが望ましい。
【００２２】
上記の出力部は、タッチセンサ１２で受け付けた出力設定（それ以外の設定は基本的にデフォルト設定とすればよい）に基づき上記画像データを出力する。この出力部としては、上記画像データを印刷する印刷部１４、若しくは上記画像データをファイル形式で記憶（保存）する記憶部１５が挙げられ、図１で例示するように、データ処理装置１はその双方の出力が可能なように構成してもよい。
【００２３】
また、図１で例示するデータ処理装置１は、原稿を光学的に読み取って（スキャンして）その原稿を電子データ化することで、その原稿の画像データを生成する原稿読取部１３を備える。原稿読取部１３を備えることで、上記出力対象データを原稿読取部１３で原稿を光学的に読み取って得た画像データとすることができる。
【００２４】
印刷部１４は、原稿読取部１３で生成された画像データや、図示しないパーソナルコンピュータ（ＰＣ）からの印刷指示と共に受信した画像データ（即ち印刷ジョブとして受信した画像データ）、記憶部１５にファイル形式で記憶された画像データなどを、記録用紙に印刷する。また、印刷部１４は、記録用紙の片面に印刷する片面印刷だけでなく、記録用紙の両面に印刷する両面印刷にも対応している。また、印刷部１４での印刷時の印刷設定（片面／両面など）は、記憶部１５に記憶させておけばよい。なお、ＰＣとデータ処理装置１とは、ＬＡＮ（Local Area Network）等の有線／無線のネットワークを介して、若しくはピアツーピアで接続することができる。このＰＣにデータ処理装置１用のプリンタドライバ等の処理プログラムを実行可能に格納しておくなどすればよい。
【００２５】
記憶部１５は、ハードディスク等で構成され、出力の結果として、原稿読取部１３で読み取った画像データやＰＣから受信した画像データなどをファイル形式で保存することが可能になっている。なお、記憶部１５と制御部１０における上記の記憶装置とは、共通のデバイスとして搭載することもできる。
【００２６】
また、記憶部１５は、ファイルＡ、ファイルＢで例示するように１又は複数のドキュメントファイル１５ａを記憶することが可能になっている。ファイルＡ，Ｂは、テキスト及び／又は埋込画像などから各ページが構成されるファイルとする。記憶部１５では、例えば元々記憶部１５内に格納されたファイルを分割して２つのファイルＡ，Ｂを保存することで、出力することもできる。また、記憶部１５にファイル形式で保存した画像データは、外部機器に送信することもできる。なお、上述したように出力対象データがテキスト（及びその書式）のみでなるテキストファイルである場合についても、２つのファイル、若しくは２ページ以上の１つのファイルが存在すれば、ファイルの結合や分離ができるため出力対象とすることができる。
【００２７】
また、以上の構成例からも分かるように、本発明に係るデータ処理装置１としては、プリント機能（ＰＣ等の外部からの指示により印刷を実行する機能）、コピー機能、スキャンした画像のファイル保存機能やファイル転送機能などの複数の機能を有する複合機（ＭＦＰ）をはじめとして、プリント機能単体のプリンタやコピー機能単体のコピー機などが挙げられる。
【００２８】
そして、本発明に係るデータ処理装置１の制御部１０は、その主たる特徴として、表示制御部１０ａがプレビュー画像としてページ単位のオブジェクトを順に並べて表示させた状態で、タッチセンサ１２がオブジェクトに対する所定のピンチ操作を受け付けた場合に、操作対象となったオブジェクトに係るページ設定を行う。そして、ページ設定した設定内容は、印刷時やファイル保存時に反映されることになる。
【００２９】
ここで、出力がファイル出力（ファイル保存）であればそのまま出力ファイルのページ毎のオブジェクトが順に並べられ、複数ファイルを表示させる場合にはファイルの区別がつくように表示させる。また、出力が印刷である場合にも片面印刷の設定がなされているページについてはそのページ毎のオブジェクトが順に並べられるが、両面印刷の設定がなされているページについてはその一方の面（好ましくは表面）のみをオブジェクトとして表示させるものとする。
【００３０】
以上、本発明によれば、印刷時の両面印刷／片面印刷の設定やファイル出力時のファイルの分離（分割）／結合の設定などの出力設定を、画像データの出力時の結果に近いタッチ操作により実行することが可能になり、より実際のページ／ファイルへの操作を結果に近づけるため、ユーザに誤操作させることを防ぐことができる。
【００３１】
上述したようにピンチ操作としては、ピンチアウト操作やピンチイン操作がある。
ピンチアウト操作を用いる例としては、制御部１０は、上記所定のピンチ操作として、タッチセンサ１２がオブジェクトの１つに対してピンチアウトする操作を受け付けた場合、そのオブジェクトに係るページを分離する設定を行うようにすればよい。これにより、印刷時の両面印刷から片面印刷への変更やファイル出力（ファイル保存）時のファイルの分離などの出力設定を、画像データの出力時の結果に近いピンチアウト操作により実行することができる。その詳細については後述する。
【００３２】
ピンチイン操作を用いる例としては、制御部１０は、上記所定のピンチ操作として、タッチセンサ１２がオブジェクトのうち隣り合う２つのオブジェクトに対してピンチインする操作を受け付けた場合、その２つのオブジェクトに係るページを結合する設定を行うようにすればよい。これにより、印刷時の片面印刷から両面印刷への変更やファイル出力（ファイル保存）時のファイルの結合などの出力設定を、画像データの出力時の結果に近いピンチイン操作により実行することができる。その詳細については後述する。
【００３３】
以下、データ処理装置１の詳細について、ピンチアウト操作とピンチイン操作のいずれもに対応可能とし、且つ出力として印刷とファイル保存の双方に対応可能として説明するが、いずれか一方の操作のみを対応可能としてもよいし、いずれか一方の出力のみに対応してもよい。
【００３４】
図１で例示する制御部１０は、表示制御部１０ａを有すると共に、タッチセンサ１２からのユーザ操作（タッチ操作）を解釈することが可能になっているほか、次のようなジェスチャー判定部１０ｂ、ファイル名管理部１０ｃ、ファイル分割／結合部１０ｄ、及び印刷ページ分割／結合部１０ｅを備える。
【００３５】
ジェスチャー判定部１０ｂは、タッチセンサ１２へのユーザ操作が、どのようなタッチ操作であるかをジェスチャーとして判定する。このジェスチャーの１つとして、ピンチアウト操作やピンチイン操作を判定することが可能になっている。また、ファイル名管理部１０ｃは、ファイルの登録名を管理する。ファイル分割／結合部１０ｄは、ファイルの分割及び結合を制御する。印刷ページ分割／結合部１０ｅは、印刷ページの分割及び結合を制御する。
【００３６】
以下、このような構成例のデータ処理装置１における画像処理例を、図２以降の図面を併せて参照しながら説明する。ここで、図２は図１のデータ処理装置における画像処理の一例を説明するためのフロー図で、図３は図２に続くフロー図である。また、図４Ａ〜図４Ｄ及び図５Ａ〜図５Ｄは、本発明のピンチ操作及びその操作に対する出力結果を示すプレビュー画像の例を説明するための図である。
【００３７】
図４Ａはデータ処理装置１における画像処理例を説明するための表示部１１でのプレビュー画像の例を示す図、図４Ｂは図４Ａのプレビュー画像に対するピンチアウト操作の例を説明するための図、図４Ｃは図４Ｂのピンチアウト操作により表示部１１で表示されるプレビュー画像の例を示す図、図４Ｄは図４Ｃのプレビュー画像に対するピンチイン操作の例を説明するための図である。また、図５Ａはデータ処理装置１における画像処理例を説明するための表示部１１でのプレビュー画像の他の例を示す図、図５Ｂは図５Ａのプレビュー画像に対するピンチアウト操作の例を説明するための図、図５Ｃは図５Ｂのピンチアウト操作により表示部１１で表示されるプレビュー画像の例を示す図、図５Ｄは図５Ｃのプレビュー画像に対するピンチイン操作の例を説明するための図である。これらの図では、表面及び裏面共に、ローマ数字でページ番号を表している。
【００３８】
まず、表示制御部１０ａが、記憶部１５に記憶されているファイルのプレビュー画像を生成して、そのプレビュー画像を含むＵＩ画像を表示部１１に表示させる（ステップＳ１）。タッチセンサ１２は、そのＵＩ画像に対してタッチが行われたかを検出し（ステップＳ２）、タッチが検出された場合には、同時にタッチ位置についても検出し、制御部１０に伝える。タッチが検出されなければ検出を待つ。
【００３９】
次に、タッチセンサ１２からの検出結果を受けて、ステップＳ２でタッチが検出された後の操作が指を広げる操作であるか（つまりピンチアウト操作であるか）否かを、ジェスチャー判定部１０ｂにて判定する（ステップＳ３）。ステップＳ３でＹＥＳの場合には、選択されたオブジェクトが１枚であったか否かを判定する（ステップＳ４）。そして、ステップＳ４でＹＥＳの場合、選択されたオブジェクトが両面印刷設定されたオブジェクトであるか否かを判定する（ステップＳ５）。
【００４０】
ステップＳ５でＮＯの場合には、処理を行うことなくステップＳ１へと戻る。ステップＳ５でＹＥＳの場合には、出力部が印刷部１４であった場合におけるページを分離する設定例に相当する。そのため、印刷ページ分割／結合部１０ｅが、選択されたオブジェクトの後ろのページに１枚のオブジェクトを新たに追加（挿入）する（ステップＳ６）。そして、印刷ページ分割／結合部１０ｅが、選択されたオブジェクトの裏面側原稿に係るオブジェクトを読み出して、追加したオブジェクトの表面に張り付ける（ステップＳ７）。その後、選択されたオブジェクトの裏面の元データは不要であるため、印刷ページ分割／結合部１０ｅがそれを消去し（ステップＳ８）、ステップＳ１へ戻る。
【００４１】
具体例を挙げる。図４Ｂの符号２２ａ，２２ｂで図４Ａのプレビュー画像２０に対する操作の様子を例示するように、両面の用紙を示す１つのオブジェクト２１を選択しピンチアウト操作すると、図４Ｃに示したようにそれぞれ別の用紙のオブジェクト２３，２４となる。
【００４２】
このように、制御部１０は、タッチセンサ１２が両面印刷の設定がなされているオブジェクトのうち１つのオブジェクトを選択してピンチアウトする操作を受け付けた場合、その１つのオブジェクトに係るページを片面印刷する設定に変更することで、ページを分離する設定を行う。これにより、印刷時の両面印刷から片面印刷への変更を、画像データの印刷時の結果に近いピンチアウト操作により実行することができる。なお、この例では、上述したように表示制御部１０ａは、両面印刷の設定がなされているページについては、その一方の面のみをオブジェクトとして表示させることを必須とする。また、この例での出力部は印刷部１４であることを前提に説明したが、記憶部１５であっても適用できる。
【００４３】
一方で、ステップＳ４でＮＯの場合、選択されたオブジェクトが隣接する２枚であるか否かをジェスチャー判定部１０ｂにて判定する（ステップＳ９）。ステップＳ９でＮＯの場合には、処理を行うことなくステップＳ１へと戻る。
【００４４】
ステップＳ９でＹＥＳの場合には、出力部が記憶部１５であった場合におけるページを分離する設定例に相当する。そのため、ファイル分割／結合部１０ｄが、選択された箇所（選択されたオブジェクトの部分）でファイルをそれぞれ別のファイルに分割し（ステップＳ１０）、ファイル名管理部１０ｃが分割した後ろ側のファイルのファイル名として今までのファイル名に例えば「−１」を追加し（ステップＳ１１）、ファイル分割／結合部１０ｄが分割後のそれぞれのファイルを記憶部１５に記憶する（ステップＳ１２）。その後、ステップＳ１へ戻る。
【００４５】
具体例を挙げる。図５Ｂの符号３３ａ，３３ｂで、図５Ａのプレビュー画像３０に対する操作の様子を例示するように、隣接する２つのオブジェクト３１，３２を選択しピンチアウト操作すると、図５Ｃに示したようになる。つまり、その位置にてファイルが分割されているように、第１のファイルのプレビュー画像３３と第２のファイルのプレビュー画像３４とが区別して表示されることになる。なお、区別の方法は、図５Ｂ，図５Ｃで例示したように１ファイルのオブジェクト群を点線で囲うなどすればよい。
【００４６】
このように、制御部１０は、タッチセンサ１２が、１つのファイルとして記憶する設定がなされているオブジェクトのうち隣接する２つのオブジェクトを選択してピンチアウトする操作を受け付けた場合、その２つのオブジェクトに係るページの境界で上記１つのファイルを分割して２つのファイルする設定に変更することで、ページを分離する設定を行う。これにより、ファイル保存時のファイルの分離を、画像データの保存時の結果に近いピンチアウト操作により実行することができる。
【００４７】
一方で、ステップＳ３でＮＯの場合には、図３に進み、タッチ後の操作が指を縮める操作であるか（つまりピンチイン操作であるか）否かをジェスチャー判定部１０ｂにて判定する（ステップＳ１３）。ステップＳ１３でＮＯの場合には、その操作に対応するその他の制御を行い（ステップＳ２１）、ステップＳ１に戻る。
【００４８】
ステップＳ１３でＹＥＳの場合には、選択されたオブジェクトが隣接する２枚であるか否かを判定する（ステップＳ１４）。ステップＳ１４でＮＯの場合には、処理を行うことなくステップＳ１へと戻る。ステップＳ１４でＹＥＳの場合には、選択されたオブジェクトが異なるファイルのオブジェクトであったか否かを判定する（ステップＳ１５）。ステップＳ１５でＮＯの場合には、選択されたオブジェクトのそれぞれが片面印刷設定であるか否かを判定する（ステップＳ１６）。
【００４９】
ステップＳ１６でＮＯの場合には、処理を行うことなくステップＳ１へと戻る。ステップＳ１６でＹＥＳの場合には、出力部が印刷部１４であった場合におけるページを結合する設定例に相当する。そのため、印刷ページ分割／結合部１０ｅが、選択された後ろ側のオブジェクトの情報（画像データ）を前側のオブジェクトの裏面側に張り付け（ステップＳ１７）、選択された後ろ側のオブジェクトのページを削除し（ステップＳ１８）、ステップＳ１へ戻る。
【００５０】
具体例を挙げる。図４Ｄの符号２５ａ，２５ｂで操作の様子を例示するように、それぞれが片面の用紙のオブジェクト２３，２４を同時に選択しピンチイン操作すると、図４Ａに示したように片面であった２枚の用紙を示すオブジェクト２３，２４がそれぞれを表面、裏面とした（ページ番号の小さいページが表面に対応することになる）１枚の用紙のオブジェクト２１となる。
【００５１】
このように、制御部１０は、タッチセンサ１２が片面印刷の設定がなされているオブジェクトのうち２つのオブジェクトを選択してピンチインする操作を受け付けた場合、その２つのオブジェクトの一方に係るページを表面、他方に係るページを裏面とした両面印刷を行う設定に変更することで、ページを結合する設定を行う。これにより、印刷時の片面印刷から両面印刷への変更を、画像データの印刷時の結果に近いピンチイン操作により実行することができる。また、この例では、表示制御部１０ａは、両面印刷の設定がなされたページについては、その一方の面のみをオブジェクトとして表示させることが好ましい。また、この例での出力部は印刷部１４であることを前提に説明したが、記憶部１５であっても適用できる。
【００５２】
一方で、ステップＳ１５でＹＥＳの場合には、出力部が記憶部１５であった場合におけるページを結合する設定例に相当する。そのため、ファイル分割／結合部１０ｄが、選択されたオブジェクトを含んでいるファイルを結合し（ステップＳ１９）、結合後のファイルを記憶し（ステップＳ２０）、ステップＳ１へ戻る。
【００５３】
具体例を挙げる。図５Ｄの符号３５ａ，３５ｂで操作の様子を例示するように、異なるファイルに対応する隣接する２つのオブジェクト３１，３２を選択し、ピンチイン操作すると、図５Ａに示したようになる。つまり、その位置にてファイルが結合されたように、第１のファイルのプレビュー画像３３と第２のファイルのプレビュー画像３４とが区別なく、１つのファイルのプレビュー画像３０として表示される。
【００５４】
このように、制御部１０は、タッチセンサ１２が、オブジェクトのうち別々のファイルとして記憶する設定がなされている隣接する２つのオブジェクトを選択してピンチインする操作を受け付けた場合、上記２つのファイルをその２つのオブジェクトに係るページの境界で結合した１つのファイルにする設定に変更することで、ページを結合する設定を行う。これにより、２つのファイルを１つのファイルに結合しているため、ファイル保存時のファイルの結合を、画像データの保存時の結果に近いピンチイン操作により実行することができる。
【００５５】
以上、本発明に係るデータ処理装置について説明したが、その処理手順について説明したように、本発明は、上述のような構成のデータ処理装置におけるデータ処理方法としての形態も採り得る。このデータ処理方法は、特にデータ設定方法に特徴を有し、制御部が、表示制御部がプレビュー画像としてページ単位のオブジェクトを順に並べて表示させた状態で、タッチセンサがオブジェクトに対する所定のピンチ操作を受け付けた場合に、操作対象となったオブジェクトに係るページ設定を行うステップを有する。その他の応用例や効果については、データ処理装置について説明した通りであり、その説明を省略する。
【００５６】
また、本発明は、上記のデータ処理方法をデータ処理装置における制御部に実行させるためのプログラム（つまり図１の制御部１０における本発明に係る処理を行うプログラム）としての形態も採り得る。このプログラムは、制御部１０の記憶装置（又は記憶部１５）に格納しておいてその記憶装置から読み出して実行することで、本発明に係る機能を実現できる。
【００５７】
また、本発明は、このプログラムを記憶したコンピュータ読み取り可能な記録媒体としての形態も採り得る。この記録媒体としては、ＣＤ（Compact Disc）、ＤＶＤ（Digital Versatile Disc）、ＢＤ（Blu-ray Disc）、Universal Serial Bus（ＵＳＢ：登録商標）メモリ等の可搬の記録媒体が挙げられる。この形態では、プログラムを上記の記録媒体から制御部１０で読み出して実行することで、若しくは上記の記録媒体から制御部１０で読み出して制御部１０の記憶装置（又は記憶部１５）に格納しておいてその記憶装置から読み出して実行することで、本発明に係る機能を実現できる。
【００５８】
以上、説明したように、本発明に係るデータ処理装置は、表示部と、該表示部に出力対象データのプレビュー画像を表示させる表示制御部と、前記プレビュー画像に係る出力対象データに対する出力設定を行うユーザ操作を、前記表示部上で受け付けるタッチセンサと、該出力設定に基づき前記出力対象データを出力する出力部と、を備えたデータ処理装置であって、前記表示制御部が前記プレビュー画像としてページ単位のオブジェクトを順に並べて表示させた状態で、前記タッチセンサが前記オブジェクトに対する所定のピンチ操作を受け付けた場合に、操作対象となったオブジェクトに係るページ設定を行う制御部を備えている。これにより、出力設定を出力対象データの出力時の結果に近いタッチ操作により実行することができる。
【００５９】
また、前記制御部は、前記所定のピンチ操作として、前記タッチセンサが前記オブジェクトの１つに対してピンチアウトする操作を受け付けた場合、前記オブジェクトに係るページを分離する設定を行うようにしてもよい。これにより、印刷時の両面印刷から片面印刷への変更やファイル出力（ファイル保存）時のファイルの分離などの出力設定を、出力対象データの出力時の結果に近いピンチアウト操作により実行することができる。
【００６０】
ここで、前記表示制御部は、両面印刷の設定がなされているページについては、その一方の面のみをオブジェクトとして表示させ、前記制御部は、前記所定のピンチ操作として、前記タッチセンサが両面印刷の設定がなされている前記オブジェクトのうち１つのオブジェクトを選択してピンチアウトする操作を受け付けた場合、該１つのオブジェクトに係るページを片面印刷する設定に変更するようにしてもよい。これにより、印刷時の両面印刷から片面印刷への変更を、出力対象データの印刷時の結果に近いピンチアウト操作により実行することができる。
若しくは、前記制御部は、前記所定のピンチ操作として、前記タッチセンサが、１つのファイルとして記憶する設定がなされている前記オブジェクトのうち隣接する２つのオブジェクトを選択してピンチアウトする操作を受け付けた場合、該２つのオブジェクトに係るページの境界で前記１つのファイルを分割して２つのファイルにする設定に変更するようにしてもよい。これにより、ファイル保存時のファイルの分離を、出力対象データの保存時の結果に近いピンチアウト操作により実行することができる。
【００６１】
また、代わりに、前記制御部は、前記所定のピンチ操作として、前記タッチセンサが前記オブジェクトのうち隣り合う２つのオブジェクトに対してピンチインする操作を受け付けた場合、該２つのオブジェクトに係るページを結合する設定を行うようにしてもよい。これにより、印刷時の片面印刷から両面印刷への変更やファイル出力（ファイル保存）時のファイルの結合などの出力設定を、出力対象データの出力時の結果に近いピンチイン操作により実行することができる。
【００６２】
ここで、前記制御部は、前記所定のピンチ操作として、前記タッチセンサが片面印刷の設定がなされている前記オブジェクトのうち２つのオブジェクトを選択してピンチインする操作を受け付けた場合、該２つのオブジェクトの一方に係るページを表面、他方に係るページを裏面とした両面印刷を行う設定に変更するようにしてもよい。これにより、印刷時の片面印刷から両面印刷への変更を、出力対象データの印刷時の結果に近いピンチイン操作により実行することができる。
若しくは、前記制御部は、前記所定のピンチ操作として、前記タッチセンサが、前記オブジェクトのうち別々のファイルとして記憶する設定がなされている隣接する２つのオブジェクトを選択してピンチインする操作を受け付けた場合、前記２つのファイルを該２つのオブジェクトに係るページの境界で結合した１つのファイルにする設定に変更するようにしてもよい。これにより、ファイル保存時のファイルの結合を、出力対象データの保存時の結果に近いピンチイン操作により実行することができる。
【符号の説明】
【００６３】
１…データ処理装置、１０…制御部、１０ａ…表示制御部、１０ｂ…ジェスチャー判定部、１０ｃ…ファイル名管理部、１０ｄ…ファイル分割／結合部、１０ｅ…印刷ページ分割／結合部、１１…表示部、１２…タッチセンサ、１３…原稿読取部、１４…印刷部、１５…記憶部、１５ａ…ドキュメントファイル。
【図１】
2014148140.tif 000003
【図２】
2014148140.tif 000004
【図３】
2014148140.tif 000005
【図４Ａ】
2014148140.tif 000006
【図４Ｂ】
2014148140.tif 000007
【図４Ｃ】
2014148140.tif 000008
【図４Ｄ】
2014148140.tif 000009
【図５Ａ】
2014148140.tif 000010
【図５Ｂ】
2014148140.tif 000011
【図５Ｃ】
2014148140.tif 000012
【図５Ｄ】
2014148140.tif 000013